(57)【特許請求の範囲】
【請求項１】
チェーンソーの本体フレームと、
前記本体フレームに収容された原動機と、
前記原動機の作動を制御する原動機制御手段と、
前記本体フレームに対してその前方に延出して設けられた細長い板状のガイドバーと、
前記ガイドバーの外周に沿って摺動案内されて前記原動機の動力により周回駆動されるソーチェーンと、
前記本体フレームの上方に上方ハンドルが着脱可能に取り付けられるように本体フレームに設けられた上方ハンドル取付部と、
前記本体フレームの後方に後方ハンドルが着脱可能に取り付けられるように本体フレームに設けられた後方ハンドル取付部と、
を備えてチェーンソー本体が構成されており、
前記上方ハンドルは、前記原動機の作動を操作するための上方ハンドルトリガと、前記上方ハンドルトリガの操作量を表す上方ハンドルトリガ情報を送り出すための上方ハンドル側トリガ情報伝達手段とを含んでなるものであり、
前記後方ハンドルは、前記原動機の作動を操作するための後方ハンドルトリガと、前記後方ハンドルトリガの操作量を表す後方ハンドルトリガ情報を送り出すための後方ハンドル側トリガ情報伝達手段とを含んでなるものであり、
前記本体フレームには、前記上方ハンドルトリガ情報または前記後方ハンドルトリガ情報を受け、当該受けた前記上方ハンドルトリガ情報または前記後方ハンドルトリガ情報を前記原動機制御手段に伝達する本体フレーム側トリガ情報伝達手段が設けられており、
前記原動機制御手段は、前記本体フレーム側トリガ情報伝達手段により伝達された前記上方ハンドルトリガ情報または前記後方ハンドルトリガ情報に応じて前記原動機の作動を制御するものであり、
前記チェーンソー本体に前記上方ハンドルまたは前記後方ハンドルのいずれか一方が取り付けられて構成されたチェーンソー。
【請求項２】
請求項１に記載のチェーンソーにおいて、
前記上方ハンドル側トリガ情報伝達手段は、前記上方ハンドルトリガの操作量を表す上方ハンドルトリガ情報を伝達するための上方ハンドル側伝達線、および前記上方ハンドル側伝達線の上方ハンドルトリガ情報を前記本体側に伝達するための上方ハンドル側伝達線継ぎ手を含んでなり、
前記後方ハンドル側トリガ情報伝達手段は、前記後方ハンドルトリガの操作量を表す後方ハンドルトリガ情報を伝達するための後方ハンドル側伝達線、および前記後方ハンドル側伝達線の後方ハンドルトリガ情報を前記本体側に伝達するための後方ハンドル側伝達線継ぎ手を含んでなり、
前記本体フレーム側トリガ情報伝達手段は、前記上方ハンドル側伝達線継ぎ手および後方ハンドル側伝達線継ぎ手に対応する前記本体フレームの位置に設けた本体フレーム側伝達線継ぎ手、および当該本体フレーム側伝達線継ぎ手から前記原動機制御手段へ向けて前記上方ハンドルトリガ情報または後方ハンドルトリガ情報を伝達するための本体フレーム側伝達線を含んでなる、
ことを特徴とするチェーンソー。
【請求項３】
請求項２に記載のチェーンソーにおいて、
前記原動機は、電気モータであり、
前記上方ハンドルトリガ情報および前記後方ハンドルトリガ情報は、電気量であり、
前記上方ハンドル側伝達線および後方ハンドル側伝達線は、電気量を伝達するための信号線であり、
前記本体フレーム側伝達線は、電気量を伝達するための信号線であり、前記上方ハンドル側信号線または後方ハンドル側信号線から、前記上方ハンドル側伝達線継ぎ手または後方ハンドル側伝達線継ぎ手および前記本体フレーム側伝達線継ぎ手を介して前記本体フレーム側信号線に伝達された電気量に応じて、前記原動機制御手段が前記電気モータの作動を制御する、
ことを特徴とするチェーンソー。
【請求項４】
請求項２に記載のチェーンソーにおいて、
前記原動機は、電気モータであり、
前記上方ハンドルトリガ情報および前記後方ハンドルトリガ情報は、機械量であり、
前記上方ハンドル側伝達線および後方ハンドル側伝達線は、機械量を伝達するための伝達部材であり、
前記本体フレーム側伝達線は、機械量を伝達するための伝達部材であり、前記上方ハンドル側伝達線または後方ハンドル側伝達線から、前記上方ハンドル側伝達線継ぎ手または後方ハンドル側伝達線継ぎ手および前記本体フレーム側伝達線継ぎ手を介して前記本体フレーム側伝達線に伝達された機械量に応じて、前記原動機制御手段が前記電気モータの作動を制御する、
ことを特徴とするチェーンソー。
【請求項５】
請求項２に記載のチェーンソーにおいて、
前記原動機は、電気量により制御される内燃機関エンジンであり、
前記上方ハンドルトリガ情報および前記後方ハンドルトリガ情報は、電気量であり、
前記上方ハンドル側伝達線および後方ハンドル側伝達線は、電気量を伝達するための信号線であり、
前記本体フレーム側伝達線は、電気量を伝達するための信号線であり、前記上方ハンドル側信号線または後方ハンドル側信号線から、前記上方ハンドル側伝達線継ぎ手または後方ハンドル側伝達線継ぎ手および前記本体フレーム側伝達線継ぎ手を介して前記本体フレーム側信号線に伝達された電気量に応じて、前記原動機制御手段が前記内燃機関エンジンの作動を制御する、
ことを特徴とするチェーンソー。
【請求項６】
請求項２に記載のチェーンソーにおいて、
前記原動機は、内燃機関エンジンであり、
前記上方ハンドルトリガ情報および前記後方ハンドルトリガ情報は、機械量であり、
前記上方ハンドル側伝達線および後方ハンドル側伝達線は、機械量を伝達するためのスロットルワイヤであり、
前記本体フレーム側伝達線は、機械量を伝達するためのスロットルワイヤであり、前記上方ハンドル側スロットルワイヤまたは後方ハンドル側スロットルワイヤから、前記上方ハンドル側伝達線継ぎ手または後方ハンドル側伝達線継ぎ手および前記本体フレーム側伝達線継ぎ手を介して前記本体フレーム側スロットルワイヤに伝達された機械量に応じて、前記原動機制御手段が前記内燃機関エンジンの作動を制御する、
ことを特徴とするチェーンソー。
【請求項７】
請求項１に記載のチェーンソーにおいて、
前記原動機制御手段は、電気量に応じて前記原動機の作動を制御する手段であり、
前記上方ハンドルトリガから前記原動機制御手段までの間に前記上方ハンドルトリガの操作量を電気量に変換する変換手段を設けてなる、
ことを特徴とするチェーンソー。
【請求項８】
請求項７に記載のチェーンソーにおいて、
前記上方ハンドル側トリガ情報伝達手段は、前記上方ハンドルトリガの操作量を表す上方ハンドルトリガ情報を伝達するための上方ハンドル側伝達線、および前記上方ハンドル側伝達線の上方ハンドルトリガ情報を前記本体側に伝達するための上方ハンドル側伝達線継ぎ手を含んでなり、
前記後方ハンドル側トリガ情報伝達手段は、前記後方ハンドルトリガの操作量を表す後方ハンドルトリガ情報を伝達するための後方ハンドル側伝達線、および前記後方ハンドル側伝達線の後方ハンドルトリガ情報を前記本体側に伝達するための後方ハンドル側伝達線継ぎ手を含んでなり、
前記本体フレーム側トリガ情報伝達手段は、前記上方ハンドル側伝達線継ぎ手および後方ハンドル側伝達線継ぎ手に対応する前記本体フレームの位置に設けた本体フレーム側伝達線継ぎ手、および当該本体フレーム側伝達線継ぎ手から前記原動機制御手段へ向けて前記上方ハンドルトリガ情報または後方ハンドルトリガ情報を伝達するための本体フレーム側伝達線を含んでなる、
ことを特徴とするチェーンソー。
【請求項９】
請求項８に記載のチェーンソーにおいて、
前記原動機は、電気モータであり、
前記上方ハンドルトリガ情報および前記後方ハンドルトリガ情報は、機械量であり、
前記上方ハンドル側伝達線および後方ハンドル側伝達線は、機械量を伝達するための部材であり、
前記変換手段は、前記本体フレームに配置され、前記機械量の大きさに応じた大きさの電気量を発生させるものであり、
前記上方ハンドル側伝達線または後方ハンドル側伝達線から、前記上方ハンドル側伝達線継ぎ手または後方ハンドル側伝達線継ぎ手および前記本体フレーム側伝達線継ぎ手を介して前記本体フレーム側部材に伝達された機械量に応じて、前記原動機制御手段が前記電気モータの作動を制御する、
ことを特徴とするチェーンソー。
【請求項１０】
請求項９に記載のチェーンソーにおいて、
前記変換手段は、ハンドルトリガの操作量が所定の値以上か未満かに応じて電気量の有無を呈するスイッチであって、前記本体フレーム側伝達線継ぎ手と一体に構成されている、
ことを特徴とするチェーンソー。
【請求項１１】
請求項９に記載のチェーンソーにおいて、
前記変換手段は、ハンドルトリガの操作量の大きさに応じた大きさの電気量に変換する手段であって、前記本体フレーム側伝達線継ぎ手と一体に構成されている、
ことを特徴とするチェーンソー。
【請求項１２】
チェーンソーの本体フレームと、
前記本体フレームに収容された原動機と、
前記原動機の作動を制御する原動機制御手段と、
前記本体フレームに対してその前方に延出して設けられた細長い板状のガイドバーと、
前記ガイドバーの外周に沿って摺動案内されて前記原動機の動力により周回駆動されるソーチェーンと、
前記本体フレームの上方に上方ハンドルが着脱可能に取り付けられるように本体フレームに設けられた上方ハンドル取付部と、
前記本体フレームの後方に後方ハンドルが着脱可能に取り付けられるように本体フレームに設けられた後方ハンドル取付部と、
を備えてなり、
前記本体フレームには、前記上方ハンドルまたは前記後方ハンドルから前記原動機の作動を操作するための操作情報を受け、当該受けた前記操作情報を前記原動機制御手段に伝達する操作情報伝達手段が設けられているとともに、前記本体フレームの上方に前記上方ハンドルが着脱可能に取り付けられるように上方ハンドル取付部および前記本体フレームの後方に前記後方ハンドルが着脱可能に取り付けられるように後方ハンドル取付部が設けられており、
前記原動機制御手段は、前記情報伝達手段により伝達された前記操作情報に応じて前記原動機の作動を制御する、
ことを特徴とするチェーンソー本体。
【請求項１３】
チェーンソーの本体フレームと、前記本体フレームに収容された原動機と、前記原動機の作動を制御する原動機制御手段と、前記本体フレームに対してその前方に延出して設けられた細長い板状のガイドバーと、前記ガイドバーの外周に沿って摺動案内されて前記原動機の動力により周回駆動されるソーチェーンとを含んでなるチェーンソー本体と、
前記本体フレームにその上方に取り付けるべく着脱可能に構成された上方ハンドルであって、前記原動機の作動を操作するための上方ハンドルトリガと、前記上方ハンドルトリガの操作量を表す上方ハンドルトリガ情報を送り出すための上方ハンドル側トリガ情報伝達手段とを含んでなる上方ハンドルと、
前記本体フレームにその後方に取り付けるべく着脱可能に構成された後方ハンドルであって、前記原動機の作動を操作するための後方ハンドルトリガと、前記後方ハンドルトリガの操作量を表す後方ハンドルトリガ情報を送り出すための後方ハンドル側トリガ情報伝達手段とを含んでなる後方ハンドルと、
が用意されていて、
前記本体フレームには、前記上方ハンドルトリガ情報または前記後方ハンドルトリガ情報を受け、当該受けた前記上方ハンドルトリガ情報または前記後方ハンドルトリガ情報を前記原動機制御手段に伝達する本体フレーム側トリガ情報伝達手段が設けられているとともに、前記本体フレームの上方に前記上方ハンドルが着脱可能に取り付けられるように上方ハンドル取付部および前記本体フレームの後方に前記後方ハンドルが着脱可能に取り付けられるように後方ハンドル取付部が設けられており、
前記原動機制御手段は、前記情報伝達手段により伝達された前記操作情報に応じて前記原動機の作動を制御するものであり、
前記チェーンソー本体と前記上方ハンドルまたは前記後方ハンドルのいずれか一方とが組み合わされたことにより、前記本体フレーム側トリガ情報伝達手段により伝達された前記上方ハンドルトリガ情報または前記後方ハンドルトリガ情報に応じて、前記原動機制御手段が前記原動機の作動を制御するように構成されたチェーンソーから、当該組み合わされた前記一方のハンドルを取り外すステップと、
その跡に他方のハンドルを取り付けるステップと、
を含んでなるチェーンソーの使用方法。
【発明の詳細な説明】
【技術分野】
【０００１】
この発明は、チェーンソーに関し、特に、ハンドルを交換することによって、同じチェーンソーをトップハンドル形とリアハンドル形との間で変換可能にして、作業環境の条件や作業者の好みに応じて作業性のよいチェーンソーとして使用できるように工夫したものである。
【背景技術】
【０００２】
鋸刃（鋸歯）をリンクによりエンドレスに連結してなるソーチェーンを原動機の回転により駆動してガイドバーの外周に沿って高速回動させて立木や木材などを切断するチェーンソーには、作業をする際にこの作業機を右手で把持するための主ハンドルと左手で把持するための副ハンドルが設けられている。主ハンドルは、チェーンソーの大きさ、重さ、主な用途に適したように、本体の上方に設けられたトップハンドル形か、本体の後方に設けられたリアハンドル形かのいずれかの形態のチェーンソーとして、提供されている。副ハンドルは、チェーンソーの重心よりやや前寄りの位置で本体の左側に設けられている。
【０００３】
リアハンドル形のチェーンソーにおいて、主ハンドルと副ハンドルを連続した一個の部品として一体に形成した構成が、特許文献１に開示されている。
【０００４】
しかしながら、同じチェーンソー本体に対してトップハンドル形の主ハンドルとリアハンドル形の主ハンドルを用意しておいて、主ハンドルを付け替えることによって、トップハンドル形のチェーンソーまたはリアハンドル形のチェーンソーのいずれか所望のタイプのチェーンソーを構成するという考え方は、従来技術の中には見受けられなかった。
【先行技術文献】
【特許文献】
【０００５】
【特許文献１】特許第２８３８０３８号公報
【発明の概要】
【発明が解決しようとする課題】
【０００６】
この発明は、チェーンソーにおいて、主ハンドルとして上方ハンドルと後方ハンドルを交換取り付け可能に用意しておいて、所望に応じてトップハンドル形またはリアハンドル形として構成できるチェーンソーを提供することを目的とする。
【課題を解決するための手段】
【０００７】
上記の課題を解決するために、この発明によるチェーンソーは、チェーンソーの本体フレームと、前記本体フレームに収容された原動機と、前記原動機の作動を制御する原動機制御手段と、前記本体フレームに対してその前方に延出して設けられた細長い板状のガイドバーと、前記ガイドバーの外周に沿って摺動案内されて前記原動機の動力により周回駆動されるソーチェーンと、前記本体フレームの上方に上方ハンドルが着脱可能に取り付けられるように本体フレームに設けられた上方ハンドル取付部と、前記本体フレームの後方に後方ハンドルが着脱可能に取り付けられるように本体フレームに設けられた後方ハンドル取付部と、を備えてチェーンソー本体が構成されており、前記上方ハンドルは、前記原動機の作動を操作するための上方ハンドルトリガと、前記上方ハンドルトリガの操作量を表す上方ハンドルトリガ情報を送り出すための上方ハンドル側トリガ情報伝達手段とを含んでなるものであり、前記後方ハンドルは、前記原動機の作動を操作するための後方ハンドルトリガと、前記後方ハンドルトリガの操作量を表す後方ハンドルトリガ情報を送り出すための後方ハンドル側トリガ情報伝達手段とを含んでなるものであり、前記本体フレームには、前記上方ハンドルトリガ情報または前記後方ハンドルトリガ情報を受け、当該受けた前記上方ハンドルトリガ情報または前記後方ハンドルトリガ情報を前記原動機制御手段に伝達する本体フレーム側トリガ情報伝達手段が設けられており、前記原動機制御手段は、前記本体フレーム側トリガ情報伝達手段により伝達された前記上方ハンドルトリガ情報または前記後方ハンドルトリガ情報に応じて前記原動機の作動を制御するものであり、前記チェーンソー本体に前記上方ハンドルまたは前記後方ハンドルのいずれか一方を取り付けて、チェーンソーとして構成したものである。したがって、このチェーンソーによれば、取り付けられていない方のハンドルが用意された場合に、取り付けられている方のハンドルを外して、その代わりに、当該用意された方のハンドルをチェーンソー本体に取り付けて、チェーンソーを構成することができる。
【０００８】
また、この発明によるチェーンソーは、前記上方ハンドル側トリガ情報伝達手段が、前記上方ハンドルトリガの操作量を表す上方ハンドルトリガ情報を伝達するための上方ハンドル側伝達線、および前記上方ハンドル側伝達線の上方ハンドルトリガ情報を前記本体側に伝達するための上方ハンドル側伝達線継ぎ手を含んで構成され、前記後方ハンドル側トリガ情報伝達手段が、前記後方ハンドルトリガの操作量を表す後方ハンドルトリガ情報を伝達するための後方ハンドル側伝達線、および前記後方ハンドル側伝達線の後方ハンドルトリガ情報を前記本体側に伝達するための後方ハンドル側伝達線継ぎ手を含んで構成され、前記本体フレーム側トリガ情報伝達手段は、前記上方ハンドル側伝達線継ぎ手および後方ハンドル側伝達線継ぎ手に対応する前記本体フレームの位置に設けた本体フレーム側伝達線継ぎ手、および当該本体フレーム側伝達線継ぎ手から前記原動機制御手段へ向けて前記上方ハンドルトリガ情報または後方ハンドルトリガ情報を伝達するための本体フレーム側伝達線を含んで構成される場合に、特に有用である。
【０００９】
原動機が電気モータである場合は、上方ハンドルトリガおよび後方ハンドルトリガの操作量の情報を電気量とし、上方ハンドル側伝達線および後方ハンドル側伝達線を、電気量を伝達するための信号線とし、本体フレーム側伝達線を、電気量を伝達するための信号線とすることにより、上方ハンドル側信号線または後方ハンドル側信号線から、上方ハンドル側伝達線継ぎ手または後方ハンドル側伝達線継ぎ手および本体フレーム側伝達線継ぎ手を介して本体フレーム側信号線に伝達された電気量に応じて、原動機制御手段が電気モータの作動を制御する構成とすることができる。
【００１０】
また、原動機が電気モータである場合に、上方ハンドルトリガおよび後方ハンドルトリガの操作量の情報を機械量とし、上方ハンドル側伝達線および後方ハンドル側伝達線を、機械量を伝達するための部材とし、本体フレーム側伝達線を、機械量を伝達するための部材とすることにより、上方ハンドル側部材または後方ハンドル側部材から、上方ハンドル側伝達線継ぎ手または後方ハンドル側伝達線継ぎ手および本体フレーム側伝達線継ぎ手を介して本体フレーム側部材に伝達された機械量に応じて、原動機制御手段が電気モータの作動を制御する構成とすることもできる。
【００１１】
さらに、原動機が内燃機関エンジンである場合に、上方ハンドルトリガおよび後方ハンドルトリガの操作量の情報を電気量とし、上方ハンドル側伝達線および後方ハンドル側伝達線を、電気量を伝達するための信号線とし、本体フレーム側伝達線を、電気量を伝達するための信号線とすることにより、上方ハンドル側信号線または後方ハンドル側信号線から、上方ハンドル側伝達線継ぎ手または後方ハンドル側伝達線継ぎ手および本体フレーム側伝達線継ぎ手を介して本体フレーム側信号線に伝達された電気量に応じて、原動機制御手段が内燃機関エンジンの作動を制御する構成とすることができる。
【００１２】
さらに、原動機が内燃機関エンジンである場合は、上方ハンドルトリガおよび後方ハンドルトリガの操作量の情報を機械量とし、上方ハンドル側伝達線および後方ハンドル側伝達線を、機械量を伝達するためのスロットルワイヤとし、本体フレーム側伝達線を、機械量を伝達するためのスロットルワイヤとすることにより、上方ハンドル側スロットルワイヤまたは後方ハンドル側スロットルワイヤから、上方ハンドル側伝達線継ぎ手または後方ハンドル側伝達線継ぎ手および本体フレーム側伝達線継ぎ手を介して本体フレーム側スロットルワイヤに伝達された機械量に応じて、原動機制御手段が内燃機関エンジンの作動を制御する構成とすることができる。
【発明の効果】
【００１３】
この発明によれば、チェーンソーにおいて、同じチェーンソー本体を利用して、主ハンドルを付け替えることにより、トップハンドル形のチェーンソーを構成したり、リアハンドル形のチェーンソーを構成したりすることができ、作業性に応じたチェーンソーを提供することができる。
【図面の簡単な説明】
【００１４】
【図１】この発明の一実施形態によるチェーンソーの本体部分とその周辺部分を示す側面図である。
【図２】この発明の一実施形態によるチェーンソーの上方ハンドルを示す側面図である。
【図３】この発明の一実施形態によるチェーンソーの後方ハンドルを示す側面図である。
【図４】図１に示す本体部分に図２に示す上方ハンドルを取り付けた場合の側面図である。
【図５】図１に示す本体部分に図３に示す後方ハンドルを取り付けた場合の側面図である。
【図６】この発明の一実施形態によるチェーンソーにおいて、トリガの操作により原動機の作動が制御される系の構成を示す線図である。
【図７】図６に示された制御系の一例をより具体的に描いた線図である。
【図８】図６に示された制御系の他の例をより具体的に描いた線図である。
【図９】図６に示された制御系のさらに他の例をより具体的に描いた線図である。
【図１０】図６に示された制御系のさらに他の例をより具体的に描いた線図である。
【図１１】図６に示された制御系のさらに他の例をより具体的に描いた線図である。
【発明を実施するための形態】
【００１５】
以下に、この発明によるチェーンソーの一実施形態を、図面を参照しながら説明する。図１に示すように、この発明の実施形態によるチェーンソーの本体部分は、本体フレーム１０に対して、電気モータまたは内燃機関エンジンによる原動機１１が収容されているとともに、当該原動機１１の作動を制御する原動機制御手段１２が設けられており、さらに本体フレーム１０に対してその前方に延出して細長い板状のガイドバー１３が設けられていて、原動機１１により駆動されるスプロケット１５からガイドバー１３の外周に架けて周回可能に張設されているソーチェーン１４が原動機１１の動力により周回駆動される。本体フレーム１０には、ガイドバー１３の手前部分とスプロケット１５を覆って、スプロケットカバー１８が設けられている。なお、図示されていないが、原動機１１が電気モータの場合は、本体フレーム１０にバッテリが収容される構成となっており、原動機１１が内燃機関エンジンの場合は、本体フレーム１０に燃料タンクが付属した構成となっている。さらに、本体フレーム１０には、チェーンソーの重心よりやや前よりの位置で本体部分の左側に、副ハンドル１９が設けられている。副ハンドル１９の前方には、緊急停止スイッチ駆動片兼フロントハンドガード４０が設けられている。
【００１６】
図２は、この発明の一実施形態によるチェーンソーの上方ハンドル２０を示す側面図であり、上方ハンドル２０は、図１の本体フレーム１０に対して着脱可能で、上方から取り付けて図４に示すようなトップハンドル形のチェーンソーを構成するためのものである。この上方ハンドル２０は、作業者が右手で把持している際に、右手の人指し指または中指で操作して原動機１１の作動を調節するための上方ハンドルトリガ２５を含んでなり、さらに、上方ハンドルトリガ２５の操作量の情報を伝達するための上方ハンドル側伝達線２６および上方ハンドル側伝達線２６を通して伝達された情報を本体側に伝達するための上方ハンドル側伝達線継ぎ手２７を含んでなる。
【００１７】
他方、本体フレーム１０には、図１および図４に示すように、上方ハンドル側伝達線継ぎ手２７に対応する位置に、本体フレーム側伝達線継ぎ手１７が設けられているとともに、本体フレーム側伝達線継ぎ手１７から原動機制御手段１２まで、上方ハンドルトリガ２５の操作量の情報を伝達するための本体フレーム側伝達線１６が設けられている。これにより、本体フレーム側伝達線継ぎ手１７から本体フレーム側伝達線１６を通して伝達された上方ハンドルトリガ２５の操作量の情報に応じて、原動機制御手段１２が原動機１１の作動を制御する。
【００１８】
図３は、この発明の一実施形態によるチェーンソーの後方ハンドル３０を示す側面図であり、後方ハンドル３０は、図１の本体フレーム１０に対して着脱可能で、後方から取り付けて図５に示すようなリアハンドル形のチェーンソーを構成するためのものである。この後方ハンドル３０は、作業者が右手で把持している際に、右手の人指し指または中指で操作して原動機１１の作動を調節するための後方ハンドルトリガ３５を含んでなり、さらに、後方ハンドルトリガ３５の操作量の情報を伝達するための後方ハンドル側伝達線３６および後方ハンドル側伝達線３６を通して伝達された情報を本体側に伝達するための後方ハンドル側伝達線継ぎ手３７を含んでなる。
【００１９】
他方、本体フレーム１０には、図１および図５に示すように、後方ハンドル側伝達線継ぎ手３７に対応する位置（この実施形態では、上記の上方ハンドル側伝達線継ぎ手２７に対応する位置と同じ位置）に、本体フレーム側伝達線継ぎ手１７が設けられているとともに、本体フレーム側伝達線継ぎ手１７から原動機制御手段１２まで、後方ハンドルトリガ３５の操作量の情報を伝達するための本体フレーム側伝達線１６が設けられている。これにより、本体フレーム側伝達線継ぎ手１７から本体フレーム側伝達線１６を通して伝達された後方ハンドルトリガ３５の操作量の情報に応じて、原動機制御手段１２が原動機１１の作動を制御する。
【００２０】
以上に説明したトリガの操作により原動機の作動が制御される系の構成を線図的に示すと、図６のようになる。すなわち、上方ハンドル２０または後方ハンドル３０において、上方ハンドルトリガ２５または後方ハンドルトリガ３５の操作量の情報は、上方ハンドル側伝達線２６または後方ハンドル側伝達線３６を通して上方ハンドル側伝達線継ぎ手２７または後方ハンドル側伝達線継ぎ手３７まで伝達され、上方ハンドル側伝達線継ぎ手２７または後方ハンドル側伝達線継ぎ手３７から本体フレーム１０に設けられた本体フレーム側伝達線継ぎ手１７に、継ぎ手同士の連結により情報が伝達され、本体フレーム１０内において、本体フレーム側伝達線継ぎ手１７から本体フレーム側伝達線１６を介して原動機制御手段１２まで伝達された上方ハンドルトリガ２５または後方ハンドルトリガ３５の操作量の情報に応じて、原動機制御手段１２が原動機１１の作動を制御する。
【００２１】
この発明の実施形態において、原動機１１が電気モータである場合は、図７に示すように、各ハンドルトリガ２５、３５の操作量を表す情報が電気量であって、その電気量に応じて原動機制御手段１２が原動機１１を制御する構成とすると好都合であり、そうすれば、各伝達線２６、３６、１６および伝達線継ぎ手２７、３７、１７は電気信号の信号線および信号線継ぎ手（電気コネクタ）で構成することができる。また、原動機１１が内燃機関エンジンである場合は、図８に示すように、各ハンドルトリガ２５、３５の操作量を表す情報が機械量（例えば、スロットルワイヤの軸方向移動量）であって、その機械量に応じて原動機制御手段１２（例えば、キャブレータ）が原動機１１を制御する構成とすれば好都合であり、そうすれば、各伝達線２６、３６、１６および伝達線継ぎ手２７、３７、１７はボーデンケーブルおよびボーデンケーブルコネクタで構成することができる。
【００２２】
なお、原動機１１が電気モータである場合でも、図９に示すように、原動機制御手段１２を機械量の入力に応じて電気モータを制御する形式にして、情報の伝達線をボーデンケーブルとして構成すれば、内燃機関エンジン用に用意された同じ上方ハンドルや後方ハンドルを、電気モータ式のチェーンソーにも内燃機関エンジン式のチェーンソーにも共用することができて、便利である。さらに、図１０に示すように、各ハンドルトリガ２５、２６から本体フレーム側伝達線継ぎ手１７までを機械量の伝達として、本体フレーム側伝達線継ぎ手１７の所に一体に機械量→電気量の変換器を設けて、それ以降を電気量の伝達とすることもできる。また、逆に、原動機１１が内燃機関エンジンである場合に、図１１に示すように、原動機制御手段１２を電気量の入力に応じて内燃機関エンジンのキャブレータまたはインジェクタを制御する構成として、情報の伝達線２６、３６、１６および伝達線継ぎ手２７、３７、１７を電気信号線で構成すれば、電気モータ用に用意された同じ上方ハンドルや後方ハンドルを、内燃機関エンジン式のチェーンソーにも電気モータ式のチェーンソーにも共用することができて、便利である。
【００２３】
なお、上記に説明した実施形態では、ハンドルから本体に対してコネクタを介して電気信号を送る例を示したが、ハンドルトリガの操作量の情報を無線、赤外線などで伝送する構成とすることもでき、その場合は、ハンドル側および本体側の継ぎ手を省略することができる。
【００２４】
この発明の実施形態においては、さらに、緊急事態報知音を発する仕組みが設けられている。すなわち、図５に示すように、後方ハンドル３０の下面側のハンドガード部分３８に緊急ボタン３９を配置するとともに、図示しないが、別途、緊急音発生装置を本体フレーム１０の適宜の箇所に設けておいて、緊急ボタン３９の操作により緊急音を発生させて緊急事態を報知することができる構成としてある。このような構成を備えておくと、広い山林の中で他の作業者から見えない場所で作業をしている場合などに、事故が起きたときに、他の作業者に音で緊急事態を知らせることができて、便利である。以前のエンジン式のチェーンソーのように、作動音がかなり大きい場合は、作動音が急に鳴りやんだりすると、他の作業者にもその変化が感知されやすいが、昨今のチェーンソー、特に電気モータ式のチェーンソーのように静音化が進んでくると、作動音が急に鳴りやんでも、他の作業者に感知されにくい。この面で、ここに説明するように、緊急事態報知音を発する仕組みを設けておくと、安全面でより実用的である。
【００２５】
以上説明したように、この発明のチェーンソーは、同じチェーンソーの本体でトップハンドル形のチェーンソーまたはリアハンドル形のチェーンソーとして切り替え使用することができる。
【００２６】
上記に説明した実施形態に流れる技術的思想を発明という単位として捉えると、以下の複数とおりに表現することができる。まず、チェーンソー本体と、上方ハンドルと、後方ハンドルを備えてなるチェーンソーキット、という物の発明である。すなわち、（１）チェーンソーの本体フレームと、前記本体フレームに収容された原動機と、前記原動機の作動を制御する原動機制御手段と、前記本体フレームに対してその前方に延出して設けられた細長い板状のガイドバーと、前記ガイドバーの外周に沿って摺動案内されて前記原動機の動力により周回駆動されるソーチェーンと、前記本体フレームの上方に上方ハンドルが着脱可能に取り付けられるように本体フレームに設けられた上方ハンドル取付部と、前記本体フレームの後方に後方ハンドルが着脱可能に取り付けられるように本体フレームに設けられた後方ハンドル取付部とを含んでなるチェーンソー本体と、前記本体フレームにその上方に取り付けるべく着脱可能に構成された上方ハンドルであって、前記原動機の作動を操作するための上方ハンドルトリガと、前記上方ハンドルトリガの操作量を表す上方ハンドルトリガ情報を送り出すための上方ハンドル側トリガ情報伝達手段とを含んでなる上方ハンドルと、前記本体フレームにその後方に取り付けるべく着脱可能に構成された後方ハンドルであって、前記原動機の作動を操作するための後方ハンドルトリガと、前記後方ハンドルトリガの操作量を表す後方ハンドルトリガ情報を送り出すための後方ハンドル側トリガ情報伝達手段とを含んでなる後方ハンドルと、を備えてなるチェーンソーキットであって、前記上方ハンドルと前記後方ハンドルは、前記チェーンソー本体に対して交換取付け可能であり、前記本体フレームには、前記上方ハンドルトリガ情報または前記後方ハンドルトリガ情報を受け、当該受けた前記上方ハンドルトリガ情報または前記後方ハンドルトリガ情報を前記原動機制御手段に伝達する本体フレーム側トリガ情報伝達手段が設けられており、前記本体フレーム側トリガ情報伝達手段により伝達された前記上方ハンドルトリガ情報または前記後方ハンドルトリガ情報に応じて、前記原動機制御手段が前記原動機の作動を制御するように構成してなることを特徴とするチェーンソーキットである。
【００２７】
この３点の要素を備えてなるチェーンソーキットがあれば、使用者は、必要に応じて上方ハンドル型のチェーンソーまたは後方ハンドル型のチェーンソーとして組み立てて、使用することができる。
【００２８】
次に、チェーンソー本体と、上方ハンドルおよび後方ハンドルのうちの一方のハンドルとを備えて構成され、他方のハンドルが用意された場合にそのハンドルに付け替えることができるチェーンソー、という物の発明である。すなわち、（２）チェーンソーの本体フレームと、前記本体フレームに収容された原動機と、前記原動機の作動を制御する原動機制御手段と、前記本体フレームに対してその前方に延出して設けられた細長い板状のガイドバーと、前記ガイドバーの外周に沿って摺動案内されて前記原動機の動力により周回駆動されるソーチェーンと、前記本体フレームの上方に上方ハンドルが着脱可能に取り付けられるように本体フレームに設けられた上方ハンドル取付部と、前記本体フレームの後方に後方ハンドルが着脱可能に取り付けられるように本体フレームに設けられた後方ハンドル取付部とを含んでなるチェーンソー本体と、前記本体フレームにその上方に取り付けるべく着脱可能に構成された上方ハンドルであって、前記原動機の作動を操作するための上方ハンドルトリガと、前記上方ハンドルトリガの操作量を表す上方ハンドルトリガ情報を送り出すための上方ハンドル側トリガ情報伝達手段とを含んでなる上方ハンドル、および前記本体フレームにその後方に取り付けるべく着脱可能に構成された後方ハンドルであって、前記原動機の作動を操作するための後方ハンドルトリガと、前記後方ハンドルトリガの操作量を表す後方ハンドルトリガ情報を送り出すための後方ハンドル側トリガ情報伝達手段とを含んでなる後方ハンドルのうちの一方のハンドルと、を備えてなるチェーンソーであって、前記本体フレームには、前記上方ハンドルトリガ情報または前記後方ハンドルトリガ情報を受け、当該受けた前記上方ハンドルトリガ情報または前記後方ハンドルトリガ情報を前記原動機制御手段に伝達する本体フレーム側トリガ情報伝達手段が設けられており、前記本体フレーム側トリガ情報伝達手段により伝達された前記上方ハンドルトリガ情報または前記後方ハンドルトリガ情報に応じて、前記原動機制御手段が前記原動機の作動を制御するように構成されており、前記上方ハンドルおよび後方ハンドルのうちの他方のハンドルが用意された場合に、前記一方のハンドルの代わりに当該他方のハンドルを前記チェーンソー本体に組み合わせてチェーンソーを構成できるようにしたことを特徴とするチェーンソーである。
【００２９】
この２点の要素を備えて構成されたチェーンソーがあれば、使用者は、別途、他方のハンドルを求めれば、異なる型のチェーンソーとして組み立てて、使用することができる。
【００３０】
次に、上方ハンドルまたは後方ハンドルを取り付け可能なチェーンソー本体、という物の発明である。すなわち、（３）チェーンソーの本体フレームと、前記本体フレームに収容された原動機と、前記原動機の作動を制御する原動機制御手段と、前記本体フレームに対してその前方に延出して設けられた細長い板状のガイドバーと、前記ガイドバーの外周に沿って摺動案内されて前記原動機の動力により周回駆動されるソーチェーンとを備えてなるチェーンソー本体であって、前記本体フレームは、その上方に上方ハンドルが着脱可能に取り付け得る構造になっているとともに、その後方に後方ハンドルが着脱可能に取り付け得る構造になっており、前記上方ハンドルは、前記原動機の作動を操作するための上方ハンドルトリガと、前記上方ハンドルトリガの操作量を表す上方ハンドルトリガ情報を送り出すための上方ハンドル側トリガ情報伝達手段とを含んでなるものであり、前記後方ハンドルは、前記原動機の作動を操作するための後方ハンドルトリガと、前記後方ハンドルトリガの操作量を表す後方ハンドルトリガ情報を送り出すための後方ハンドル側トリガ情報伝達手段とを含んでなるものであり、前記本体フレームには、前記上方ハンドルトリガ情報または前記後方ハンドルトリガ情報を受け、当該受けた前記上方ハンドルトリガ情報または前記後方ハンドルトリガ情報を前記原動機制御手段に伝達する本体フレーム側トリガ情報伝達手段が設けられており、前記本体フレーム側トリガ情報伝達手段により伝達された前記上方ハンドルトリガ情報または前記後方ハンドルトリガ情報に応じて、前記原動機制御手段が前記原動機の作動を制御するように構成されていることを特徴とするチェーンソー本体である。
【００３１】
このチェーンソー本体があれば、使用者は、別途、上方ハンドルまたは後方ハンドルを求めれば、所望のチェーンソーとして組み立てて、使用することができる。
【００３２】
なお、この発明によるチェーンソーを商品として販売するに際しては、商品の構成形態として、複数の形態が考えられる。まず、チェーンソー本体と、上方ハンドルと、後方ハンドルの３点をセットにして、チェーンソーキットという形態の商品とすることができる。あるいは、ハンドルとして、使用頻度の高い、または需要の多い方のハンドル（例えば、後方ハンドル）のみをセットとして含ませてチェーンソーを構成し、他方のハンドルは、オプション部品として別途販売することもでき、そうすれば、必要な需要者のみが追加のハンドルを購入すればよく、経済的である。また、需要割合に応じて、出荷段階から各一方のハンドルを付けた商品を予め製造して販売することもでき、製造会社としては、全く別個のモデルを別々に設計し製造しなくてもよいので、コストの面でも有利である。または、チェーンソー本体をいずれかのハンドルが選択的に取り付け可能なこの発明の主要部品とし、それに上方ハンドル、後方ハンドルをそれぞれ個別の部品として販売し、使用者の側で必要な部品を選択的に買い求めてもらうという場面も考えられる。
【００３３】
さらに、上記の実施形態についての説明では、この発明を物の発明という観点から説明したが、チェーンソー本体と、上方ハンドルと、後方ハンドルが用意されている場合に、チェーンソー本体に一方のハンドルが取り付けられて構成されているタイプのチェーンソーに対して、そのチェーンソーから当該一方のハンドルを取り外して、それと交換に、他のハンドルを取り付けて別のタイプのチェーンソーを構成して使用する、というチェーンソーの使用方法、という方法の発明と捉えることもできる。
【００３４】
すなわち、（４）チェーンソーの本体フレームと、前記本体フレームに収容された原動機と、前記原動機の作動を制御する原動機制御手段と、前記本体フレームに対してその前方に延出して設けられた細長い板状のガイドバーと、前記ガイドバーの外周に沿って摺動案内されて前記原動機の動力により周回駆動されるソーチェーンとを含んでなるチェーンソー本体に、前記本体フレームにその上方に取り付けるべく着脱可能に構成された上方ハンドルであって、前記原動機の作動を操作するための上方ハンドルトリガと、前記上方ハンドルトリガの操作量を表す上方ハンドルトリガ情報を送り出すための上方ハンドル側トリガ情報伝達手段とを含んでなる上方ハンドル、および前記本体フレームにその後方に取り付けるべく着脱可能に構成された後方ハンドルであって、前記原動機の作動を操作するための後方ハンドルトリガと、前記後方ハンドルトリガの操作量を表す後方ハンドルトリガ情報を送り出すための後方ハンドル側トリガ情報伝達手段とを含んでなる後方ハンドルのうちの一方のハンドルが取り付けられてチェーンソーが構成されていて、前記本体フレームには、前記上方ハンドルトリガ情報または前記後方ハンドルトリガ情報を受け、当該受けた前記上方ハンドルトリガ情報または前記後方ハンドルトリガ情報を前記原動機制御手段に伝達する本体フレーム側トリガ情報伝達手段が設けられており、前記本体フレーム側トリガ情報伝達手段により伝達された前記上方ハンドルトリガ情報または前記後方ハンドルトリガ情報に応じて、前記原動機制御手段が前記原動機の作動を制御するように構成されてなる当該チェーンソーから、前記取り付けられている一方のハンドルを取り外すステップと、前記チェーンソー本体に前記他方のハンドルを取り付けてチェーンソーを構成するステップと、を含んでなるチェーンソーの使用方法である。
【００３５】
この場合、使用者は、チェーンソー本体に取り付けられているハンドルを外して、他方のハンドルを付け替えることにより、異なる型のチェーンソーとして使用することができる。
【００３６】
以上の説明から分かるように、この発明によれば、同じチェーンソー本体を利用して、主ハンドルを付け替えることにより、トップハンドル形のチェーンソーを構成したり、リアハンドル形のチェーンソーを構成したりすることができ、作業性に応じたチェーンソーを提供することができる。
【符号の説明】
【００３７】
１０…本体フレーム、１１…原動機、１２…原動機制御手段、１３…ガイドバー、１４…ソーチェーン、１５…スプロケット、１６…本体フレーム側伝達線、１７…本体フレーム側伝達線継ぎ手、１８…スプロケットカバー、１９…副ハンドル、２０…上方ハンドル、２５…上方ハンドルトリガ、２６…上方ハンドル側伝達線、２７…上方ハンドル側伝達線継ぎ手、３０…後方ハンドル、３５…後方ハンドルトリガ、３６…後方ハンドル側伝達線、３７…後方ハンドル側伝達線継ぎ手、４０…フロントハンドガード。
【図１】
0006397793.tif 000002
【図２】
0006397793.tif 000003
【図３】
0006397793.tif 000004
【図４】
0006397793.tif 000005
【図５】
0006397793.tif 000006
【図６】
0006397793.tif 000007
【図７】
0006397793.tif 000008
【図８】
0006397793.tif 000009
【図９】
0006397793.tif 000010
【図１０】
0006397793.tif 000011
【図１１】
0006397793.tif 000012